(57)【要約】【課題】  木材やプラスチックのような金属より柔らかい材料を用いたものでありながら、ペットの噛み付きを適度に抑制して、破損し難い柵体及びこの柵体を用いたペット用囲いを提供する。【解決手段】矩形状の枠体３内に複数の柵棒体２を備えたペット用の柵体１において、  前記柵棒体２は、棒部材９と、当該棒部材９の外面に露出するように当該棒部材９の外面に固着される添設部材１０とを備えていて、  前記添設部材１０は、前記棒部材９より硬質な材料で形成されている。【選択図】図１
2011078380.tif 000002
【特許請求の範囲】
【請求項１】
矩形状の枠体内に複数の柵棒体を備えたペット用の柵体において、
前記柵棒体は、棒部材と、当該棒部材の外面に露出するように当該棒部材の外面に固着される添設部材とを備えていて、
前記添設部材は、前記棒部材より硬質な材料で形成されていることを特徴とする柵体。
【請求項２】
前記棒部材は、木材又はプラスチック材で形成されており、
前記添設部材は、金属材又はセラミックス材で形成されていることを特徴とする請求項１に記載の柵体。
【請求項３】
前記柵棒体は、前記棒部材の１つに対して前記添設部材を線状に複数本備えており、当該添設部材は、前記棒部材の外周に離間して固着されていることを特徴とする請求項１又は請求項２に記載の柵体。
【請求項４】
前記棒部材には、前記添設部材を嵌め込むための溝部が、前記棒部材の外面の長手方向一端から他端にわたって形成され、
前記添設部材は、前記溝部に嵌め込まれるとともに前記棒部材の外面から外方に向かって突出されていることを特徴とする請求項１〜請求項３いずれかに記載の柵体。
【請求項５】
前記添設部材は、前記柵体の表裏片側のうち裏側に配置されていることを特徴とする請求項１〜４のいずれかに記載の柵体。
【請求項６】
請求項１〜５のいずれかに記載の柵体を複数用いて形成されたペット用囲い。
【発明の詳細な説明】
【技術分野】
【０００１】
本発明は、例えば、ペットの行動範囲を規制する為の柵体及びこの柵体を用いたペット用囲いに関する。
【背景技術】
【０００２】
犬や猫、うさぎのようなペットを飼育する場合、ペットが逃げないように、その行動範囲を規制するため、例えばケージ、サークル、ゲート（フェンス）などのような囲いが用いられる。
この囲いを構成する柵体は、一般に金属で形成されることが多いが、金属に代えて木材のような材料を用いて重厚で高級感溢れる外観に作りたいというニーズや、成型性に富むプラスチックなどでさまざまな形状に成形したいというニーズがある。例えば、特許文献１には、このような柵体として、木製の枠体の内側に、同じく木製の柵棒体が複数備えられた柵体を用いたペット用囲いが開示されていて、金属製より高級感や重厚感を与えることが可能である。
【先行技術文献】
【特許文献】
【０００３】
【特許文献１】実用新案登録第３１３３４０２号公報
【発明の概要】
【発明が解決しようとする課題】
【０００４】
木製の囲いの場合は、外観上の美感に優れるものの、ペットが囓って破損され易いという欠点があり、ひいてはペットが囲いを破って逃走するという虞もあった。また、プラスチックなどの材料で形成された囲いでも、柔らかいプラスチックを用いたものについては、木製の場合と同様にペットが囓ることで破損してしまう虞があった。
そこで、本発明は、上記問題に鑑みてなされたものであって、ペットの噛み付きを抑制することが可能な柵体及びこの柵体を用いたペット用囲いを提供することを目的とする。
【課題を解決するための手段】
【０００５】
前記目的を達成するため、本発明は次の技術的手段を講じている。
すなわち、本発明の柵体は、矩形状の枠体内に複数の柵棒体を備えたペット用の柵体において、前記柵棒体は、棒部材と、当該棒部材の外面に露出するように当該棒部材の外面に固着される添設部材とを備えていて、前記添設部材は、前記棒部材より硬質な材料で形成されている。
【０００６】
また、前記棒部材は、木材又はプラスチック材で形成されており、前記添設部材は、金属材又はセラミックス材で形成されていることが好ましい。
さらに、前記柵棒体は、前記棒部材の１つに対して前記添設部材を線状に複数本備えており、当該添設部材は、前記棒部材の外周に離間して固着されていることが好ましい。
また、前記棒部材には、前記添設部材を嵌め込むための溝部が、前記棒部材の外面の長手方向一端から他端にわたって形成され、前記添設部材は、前記溝部に嵌め込まれるとともに前記棒部材の外面から外方に向かって突出されていることが好ましい。
【０００７】
さらに、前記添設部材は、前記柵体の表裏片側のうち裏側に配置されていることが好ましい。
そして、上記記載の柵体を複数用いて形成されたペット用囲いを構成してもよい。
【発明の効果】
【０００８】
本発明によれば、木材やプラスチックのような金属より柔らかい材料を用いたものでありながら、ペットの噛み付きを適度に抑制して、破損し難い柵体及びこの柵体を用いたペット用囲いを提供することができる。
【図面の簡単な説明】
【０００９】
【図１】本発明に係る柵体を裏側から見た図である。
【図２】（ａ）は図１のＡ部分を拡大した柵棒体の斜視図であり、（ｂ）は図２（ａ）のＢ−Ｂ線矢視断面図である。
【図３】（ａ）は柵棒体の第２実施形態を示す図２（ａ）に相当する斜視図であり、（ｂ）は図３（ａ）のＣ−Ｃ線矢視断面図である。
【図４】（ａ）は柵棒体のその他の別実施形態を示す図２（ａ）に相当する斜視図であり、（ｂ）は図４（ａ）のＤ−Ｄ線矢視断面図である。
【図５】（ａ）は柵棒体のさらに別の実施形態を示す図２（ａ）に相当する斜視図であり、（ｂ）は図５（ａ）のＥ−Ｅ線矢視断面図である。
【図６】柵体を組み合わせて形成されるケージを示す分解斜視図である。
【図７】柵体を用いて形成された実施形態のケージを示す斜視図である。
【図８】柵体を用いて形成された別実施形態のフェンスを示す斜視図である。
【発明を実施するための形態】
【００１０】
以下、本発明に係る柵体の第１実施形態を、図１、図２及び図７を用いて説明する。
図１は、本発明に係る柵体１を裏側（ペットが収容乃至配置される側）から見た図である。
図２は、図１のＡ部分を拡大した柵棒体２の図である。ここで、図２（ａ）は柵棒体２の斜視図、図２（ｂ）は図２（ａ）のＢ−Ｂ線矢視断面図である。
【００１１】
図７は、柵体１を用いて形成された実施形態のケージ１５を示す斜視図である。なお、図７に示すケージ１５の外側を表側、ペットが収容される内側を裏側という。
本発明の柵体１は、例えば図７に示すような、犬をはじめとするペットが逃げないようにするためのケージ１５を構成するものとして、用いられるものである。ここで、ペットとは、図７に示されている犬の他、うさぎ、リス又は鳥等をいう。
【００１２】
以下柵体１の詳細について、説明する。
図１に示すように、ペット用の柵体１は、枠体３と、この枠体３内に配された複数の柵棒体２により構成される。
枠体３は、長方形状に形成されていて、木材で製作されている。この枠体３は、左右方向に同じ長さで延びた状態で上下に平行配置される上側フレーム４及び下側フレーム５と、上側フレーム４及び下側フレーム５の長手方向における左端同士を連結する左側フレーム６と、右端同士を連結する右側フレーム７とからなる。これらは、例えば接着剤、ボルト、釘等を用いて連結される。枠体３には、上側フレーム４と下側フレーム５との上下略中間に、横桟８が配置されている。この横桟８は、枠体３と同じ材質である木材で製作されていて、その左右両端はそれぞれ左側フレーム６及び右側フレーム７に連結されている。なお、かかる枠体３はプラスチック材で製作することもできる。
【００１３】
柵棒体２は、枠体３の左右方向に略同じ間隔をおいて、左側フレーム６及び右側フレーム７と平行な状態で複数配置され、それぞれ横桟８を貫通して各上下両端が上側フレーム４及び下側フレーム５に固定されている。なお、ペットの口部が隣り合う柵棒体２同士の間に入って、上顎側の歯及び下顎側の歯を用いて横桟８及び下側フレーム５を噛んで横桟８等の破損を防止するために、柵棒体２の左右方向における間隔は、ペットの口部ができる限り入らないように設定されている。特に、犬歯より後方にあって、主として物を摩砕する作用をもつ臼歯で横桟８等を噛めないように、この間隔を定めることが好ましい。
【００１４】
次に図２を用いて各柵棒体２の詳細について説明する。
柵棒体２は、棒部材９と、添設部材１０とから構成されている。
棒部材９は、本実施形態では円柱状に形成されており、枠体３及び横桟８と同じ材質である木材又はプラスチック材で製作されている。棒部材９には、添設部材１０を嵌め込むための溝部１１が形成されている。
【００１５】
溝部１１は、棒部材９の外面の長手方向一端から他端にわたって、棒部材９の長手方向と平行な状態で複数（図例では２本）設けられている。各溝部１１の深さは、添設部材１０の太さ乃至厚みより小さくなるように設定されている。
添設部材１０は、棒部材９より硬質な材料で形成されている。具体的には、金属材又はセラミックス材で形成されていることが好ましい。添設部材１０は、棒部材９の１つに対して線状に複数本（図例では２本）備えられていて、各添設部材１０の形状は本実施形態では円柱状である。
【００１６】
それぞれの添設部材１０は、全長が溝部１１の全長にわたって嵌め込むようになっていて、嵌め込んだ際に棒部材９の外面から外方に向かってその一部が突出した状態となる。
また、２本の添設部材１０は、棒部材９の外表面の長手方向に沿って、当該棒部材９の外周に離間しており、棒部材９の外面に露出している。なお、添設部材１０は溝部１１に嵌め込むだけでなく、接着剤等を介して固着してもよい。
【００１７】
また、棒部材９に添設部材１０を固着した状態では、それぞれの添設部材１０の間には棒部材９の外周面が露出している。ペットが柵棒体２を囓ったとき、この棒部材９の露出している部分にペットの歯が入り込んで、当該露出部分と添設部材１０の両方がペットの歯に接触しやすくなる。なお、両添設部材１０，１０間の間隔は、当然ペットの大きさ等を鑑みて設定されている。
【００１８】
ところで、本実施形態では図２（ｂ）に示すように、両添設部材１０の中心と棒部材９の中心とをそれぞれ結んでなる仮想線同士のなす角度θは、１８０°未満であるように設定されている。このように設定されたうえで、添設部材１０同士の最も離れた部分同士の間隔、距離ｌは、棒部材９の直径Ｌよりも小さくなるように設定されている。すなわち、１つの棒部材９に対し複数の添設部材１０を備えた場合、柵棒体２の外周の一方向から見た場合、各添設部材１０が、棒部材９によって隠れる（棒部材９とオーバーラップしてそのシルエット内に納まる）ように、配置されている。そして、各柵棒体２は、添設部材１０が位置している側が柵体１の裏側（ペットが収容乃至配置される側）となるように枠体３に固定されている。従って、この柵体１の表側の正面から見ると、各柵棒体２の添設部材１０は目立つことがない。その一方、添設部材１０は柵体１の裏側（ペット側）に存在するので、ペットが柵棒体２をかじった際に棒部材９と一緒に噛み易くなる。
【００１９】
本発明者は、ペットが物を噛んだり、囓ったりした際に、柔らかい物の中に硬いものがあると、歯が硬いものに当たって違和感や嫌悪感を感じ、噛むのを止める習性があることを知見し、ペットがこの違和感等を感じて噛むのを止める習性を有効に利用したペット用柵体１とする好適な構造を発明したものである。
すなわち、上記実施の形態によれば、矩形状の枠体３内に複数の柵棒体２を備えたペット用の柵体１において、前記柵棒体２は、棒部材９と、棒部材９の外面に露出するように当該棒部材９の外面に固着される添設部材１０とを備えていて、この添設部材１０は、棒部材９より硬質な材料で形成されている。
【００２０】
柵棒体２の外表面には、棒部材９及びこれより硬い添設部材１０が設けられているため、ペットが柵棒体２を囓ると、ペットは、棒部材９だけでなく添設部材１０も囓る。このため、ペットの歯が硬い添設部材１０に当たって、ペットは、違和感や嫌悪感を感じ、噛むのを止める。
また、上記実施の形態によれば、棒部材９は、木材又はプラスチック材で形成されており、添設部材１０は、金属材又はセラミックス材で形成されている。
【００２１】
木材又はプラスチックは柔らかい素材なので加工しやすい。また、木材で形成された棒部材９を室内で使用すると、室内の家具や調度品と調和して、高級感のある柵体１になる。
金属材又はセラミックス材は、棒部材９の材質である木材又はプラスチック材より硬いため、添設部材１０の材質に適している。
【００２２】
さらに、上記実施の形態によれば、前記柵棒体２は、前記棒部材９の１つに対して前記添設部材１０を線状に複数本備えており、当該添設部材１０は、前記棒部材９の外周に離間して固着されている。
１つの棒部材９の外周に複数本の添設部材１０を設けているため、ペットが棒部材９を囓ったときに、ペットの歯が添設部材１０に当たりやすくなる。また、これらの添設部材１０を棒部材９の外周に離間して設けているため、ペットの歯が添設部材１０間に入り込んで棒部材９に接触することになり、硬い添設部材１０と柔らかい棒部材９との両方にペットの歯が当たって、ペットは違和感を感じる。
【００２３】
また、上記実施の形態によれば、棒部材９には、添設部材１０を嵌め込むための溝部１１が、棒部材９の外面の長手方向一端から他端にわたって形成され、添設部材１０は、溝部１１に嵌め込まれるとともに棒部材９の外面から外方に向かって突出されている。
また添設部材１０は、棒部材９の長手方向全長にわたって形成される。このため、柵棒体２の強度は、柵棒体２の長手方向全長にわたって大きくなる。
【００２４】
さらに、添設部材１０を溝部１１にいったん嵌め込むと、添設部材１０は、全長にわたって溝部１１に固定される。よって、ペットが添設部材１０の一部を囓って引っ張ろうとしても、添設部材１０は棒部材９から容易に外れることはない。
さらに、上記実施の形態によれば、添設部材１０は、柵体１の表裏片側のうち裏側に配置されているから、柵体１の表側から見たときに、柵棒体２は棒部材９のみが認識され、添設部材１０が認識されない。これにより、柵体１の表側すなわち飼育者が面する側から、飼育者自身が柵体１を目視すると、柵棒体２は、単一の材料すなわち棒部材９の材質のみで作られているように認識される。
【００２５】
よって、棒部材９が木材で形成されている場合、柵棒体２は、柵体１の表側から見て、木材のみで形成されているように見える。この場合、柵棒体２は、枠体３及び横桟８と同じ材質であるためこれらと調和しているだけでなく、例えば木製の家具と調和しやすく、高級感を与えることもできる。
図３は、第２実施形態における柵棒体２を示したものである。ここで、図３（ａ）は柵棒体２の斜視図、図３（ｂ）は図３（ａ）のＣ−Ｃ線矢視断面図である。
【００２６】
この第２実施形態は、柵棒体２を構成する棒部材９の形状を細長い四角柱状にしたものである。棒部材９の一側面には、添設部材１０が２本固着されている。
その他の点は前記第１実施形態と同様の構成である。
なお、柵棒体２については、上記第１実施形態又は上記第２実施形態に限定されることはない。図４は、その他の実施形態における柵棒体２を示した図である。ここで、図４（ａ）は柵棒体２の斜視図、図４（ｂ）は図４（ａ）のＤ−Ｄ線矢視断面図である。
この実施形態の柵棒体２を構成する棒部材９の形状は、細長い四角柱状としたものであり、この棒部材９の対向する側面には、長手方向に添って一対の溝状のスリット部１２が形成されている。
【００２７】
添設部材１０は、棒部材９の外周面をコ字状に覆う本体部１３と、棒部材９のスリット部１２に嵌入される一対の取付片１４とを有している。そして添設部材１０は、本体部１３の両端にある一対の取付片１４を一対のスリット部１２に引っかけることで、添設部材１０が棒部材９に固着されている。なお、棒部材９及び添設部材１０の材料等その他の点は、上記第１実施形態と同じである。
【００２８】
さらに、図５は、別の実施形態の柵棒体２を示した図である。ここで、図５（ａ）は柵棒体２の斜視図、図５（ｂ）は図５（ａ）のＥ−Ｅ線矢視断面図である。
この棒部材９の外周面には、長手方向に添って一対の溝状のスリット部１２が形成されている。
添設部材１０は、棒部材９の周方向における略半周（１８０°）を円弧状に覆う本体部１３と、当該本体部１３の周方向における両端に設けられた一対の取付片１４とからなる。
【００２９】
本体部１３は、その曲率が、棒部材９の外周の曲率と一致するように形成されている。
取付片１４は、本体部１３の両端から本体部１３の軸心方向に向かって突出され、スリット部１２に嵌め込むことができるようになっている。添設部材１０は、一対のスリット部１２を介して固着されている。
なお、添設部材１０は、棒部材９の略半周（１８０°）分の外周を外嵌するということに限定されるものでなく、棒部材９の略３分の１周（１２０°）分の外周を外嵌してもよく、棒部材９の略４分の１周（９０°）分の外周を外嵌してもよく、任意の大きさにして棒部材９の外周の一部を外嵌してもよい。なお、棒部材９及び添設部材１０の材料等その他の点は、上記第１実施形態と同じである。
【００３０】
以上のように形成された柵体１は、柵体１同士を組み合わせて、ペットの行動範囲を規制する為のペット用囲いが製作される。
ペット用囲いの例として、図６及び図７はペット用ケージ１５を示していて、図６は柵体１を組み合わせて形成されるケージ１５を示す分解斜視図で、図７は柵体１を用いて形成された実施形態のケージ１５を示す斜視図である。なお、図７に示すペットケージ１５の正面に向かった状態で、右部、左部、上部、下部、入り口側を前部、奥側を後部という。
【００３１】
図７に示すように、ペットケージ１５は、ペットの収容空間を内部に形成する底面開口状のケージ本体１６と、ケージ本体１６の下縁に取り付けられて底部を構成する樹脂製の底部トレイ１７と、から形成されている。
図６に示すように、ケージ本体１６は、前面柵体１８と、当該前面柵体１８の右縁に連結した右側面柵体１９と、前面柵体１８の左縁に連結した左側面柵体２０と、両側面柵体１９，２０の後縁に連結した後面柵体２１と、各柵体１８、１９，２０，２１の上縁に連結した上面柵体２２と、から構成され、各柵体１８，１９，２０，２１，２２同士が連結されている。
【００３２】
なお、上記ペットケージ１５に限定されるものではない。例えば、ペットケージ１５の上面柵体２２及び底部トレイ１７を取り除き、サークル状に形成されたペット用サークルとしてもよい。
ペット用囲いのその他の例として、図８はペット用フェンス２３を示していて、図８は柵体１を用いて形成されるフェンス２３を示す斜視図である。
【００３３】
図８に示すように、フェンス２３は、２つの柵体１を連結して、上部から見てＬ字状になっている。
なお、フェンス２３を構成しているそれぞれの柵体１の下部における長手方向に対し、直交するように、脚部２４を設けてもよい。
また、１つの柵体１に脚部２４を設けたうえで、つい立て状のフェンス２３にしてもよい。
【００３４】
なお、添設部材１０は、棒部材９に固着されるということに限定されるものではなく、横桟８の裏側又は枠体３の裏側にも固着されてもよい。
【産業上の利用可能性】
【００３５】
本発明は、例えば、ペットの行動範囲を規制する為の柵体及びこの柵体を用いたペット用囲いに利用することができる。
【符号の説明】
【００３６】
１ 柵体
２ 柵棒体
３ 枠体
４ 上側フレーム
５ 下側フレーム
６ 左側フレーム
７ 右側フレーム
８ 横桟
９ 棒部材
１０ 添設部材
１１ 溝部
１２ スリット部
１３ 本体部
１４ 取付片
１５ ケージ
１６ ケージ本体
１７ 底部トレイ
１８ 前面柵体
１９ 右側面柵体
２０ 左側面柵体
２１ 後面柵体
２２ 上面柵体
２３ フェンス
２４ 脚部
【図１】
2011078380.tif 000003
【図２】
2011078380.tif 000004
【図３】
2011078380.tif 000005
【図４】
2011078380.tif 000006
【図５】
2011078380.tif 000007
【図６】
2011078380.tif 000008
【図７】
2011078380.tif 000009
【図８】
2011078380.tif 000010